(57)【特許請求の範囲】
【請求項１】
家具を支持する複数の移動車輪を、スクリューロッド及びナットにより昇降可能に設けるとともに、該スクリューロッド及びナットの一方にウォームホイールを付設して、該ウォームホイールと歯合するウォームを配設し、かつ連動して回動する複数の連結ロッドを隣接するウォーム間に架設して、該連結ロッドによりウォームを回動させるようにした家具移動装置であって、前記複数の移動車輪を個別の昇降台に各々固定し、該昇降台を家具に固定される基台に対し、四隅に配設したガイドロッドに沿ってスクリューロッド及びナットにより昇降可能に設けるようにし、かつ、前記移動車輪、昇降台、基台、ガイドロッド、スクリューロッド及びナットをユニットとし、該ユニットを家具に４個以上配設するようにしたことを特徴とする家具移動装置。
【請求項２】
家具を支持する複数の移動車輪を、家具との間に配設した取付台に設置して、該取付台を複数のスクリューロッド及びナットにより昇降可能に設けるとともに、該スクリューロッド及びナットの一方にウォームホイールを付設して、該ウォームホイールと歯合するウォームを配設し、かつ連動して回動する複数の連結ロッドを隣接するウォーム間に架設して、該連結ロッドによりウォームを回動させるようにしたことを特徴とする家具移動装置。
【請求項３】
前記連結ロッドを傘歯車を介して連動するようにしたことを特徴とする請求項１又は２記載の家具移動装置。
【請求項４】
少なくとも１つのウォームを、外部から操作できるように構成したことを特徴とする請求項１、２又は３記載の家具移動装置。
【発明の詳細な説明】
【０００１】
【発明の属する技術分野】
本発明は、家具を軽快に移動できるようにした家具移動装置に関し、特に、操作が婦女子においても軽快かつ簡単に行えるとともに、複数の移動車輪を同時に昇降させることにより、家具を水平状態で昇降させることができる家具移動装置に関するものである。
【０００２】
【従来の技術】
従来、家具を簡易に移動させる手段として、家具の台座下部に、摺動抵抗の小なる材質、例えば、合成樹脂製の板状の滑り具を挿入して家具を移動させる装置がある。
また、他の家具移動装置として、昇降可能な複数の移動車輪を家具の台座下部に組み込み、この移動車輪を１つずつ操作し、家具を持ち上げて移動させるようにした装置が提案されている。
【０００３】
【発明が解決しようとする課題】
ところで、上記従来の家具移動装置において、摺動板を用いる方法では、家具の移動時に重い家具を一旦持ち上げ、下部に台座下部に摺動板を挿入しなければならないことから、この重い家具の持ち上げに労力を要し、微力な婦女子では家具の持ち上げが行えなず、また、常時家具下部に摺動板を挿入しておくと、地震発生時に、家具が意に反し妄りに移動して危険であるという問題があった。
また、複数の移動車輪を家具の台座下部に組み込む装置では、複数の移動車輪を個々に操作する必要があることから、移動時に手数を要するとともに、持ち上げが不均一になり易く、家具が傾いて危険な事態を招来するという問題があった。
【０００４】
本発明は、上記従来の家具移動装置が有する問題点に鑑み、操作が婦女子においても軽快かつ簡単に行えるとともに、複数の移動車輪を同時に昇降させることにより、家具を水平状態で昇降させることができる家具移動装置を提供することを目的とする。
【０００５】
【課題を解決するための手段】
上記目的を達成するため、本第１発明の家具移動装置は、家具を支持する複数の移動車輪を、スクリューロッド及びナットにより昇降可能に設けるとともに、該スクリューロッド及びナットの一方にウォームホイールを付設して、該ウォームホイールと歯合するウォームを配設し、かつ連動して回動する複数の連結ロッドを隣接するウォーム間に架設して、該連結ロッドによりウォームを回動させるようにした家具移動装置であって、前記複数の移動車輪を個別の昇降台に各々固定し、該昇降台を家具に固定される基台に対し、四隅に配設したガイドロッドに沿ってスクリューロッド及びナットにより昇降可能に設けるようにし、かつ、前記移動車輪、昇降台、基台、ガイドロッド、スクリューロッド及びナットをユニットとし、該ユニットを家具に４個以上配設するようにしたことを特徴とする。
【０００６】
この家具移動装置は、移動車輪を昇降させるスクリューロッド及びナットの一方にウォームホイールを付設して、このウォームホイールと歯合するウォームを配設するとともに、連動して回動する複数の連結ロッドを隣接するウォーム間に架設して、この連結ロッドによりウォームを回動させることから、家具を支持する全ての移動車輪を同時に昇降させることが可能となり、これにより、重い家具でも常に水平状態を保ちながら昇降させることができ、また、移動車輪を昇降させる動力の伝達をウォームとウォームホイールとを用いて行うことから、力の弱い婦女子によっても円滑かつ軽快に家具を昇降させることができる。
【０００７】
また、同じ目的を達成するため、本第２発明の家具移動装置は、家具を支持する複数の移動車輪を、家具との間に配設した取付台に設置して、該取付台を複数のスクリューロッド及びナットにより昇降可能に設けるとともに、該スクリューロッド及びナットの一方にウォームホイールを付設して、該ウォームホイールと歯合するウォームを配設し、かつ連動して回動する複数の連結ロッドを隣接するウォーム間に架設して、該連結ロッドによりウォームを回動させるようにしたことを特徴とする。
【０００８】
この家具移動装置は、移動車輪が設置された取付台を昇降させるスクリューロッド及びナットの一方にウォームホイールを付設して、このウォームホイールと歯合するウォームを配設するとともに、連動して回動する複数の連結ロッドを隣接するウォーム間に架設して、この連結ロッドにより前記ウォームを回動させることから、全ての移動車輪を取付台を介して同時に昇降させることが可能となり、これにより、重い家具でも常に水平状態を保ちながら昇降させることができ、また、移動車輪を昇降させる動力の伝達をウォームとウォームホイールとを用いて行うことから、力の弱い婦女子によっても円滑かつ軽快に家具を昇降させることができる。
そして、取付台を介して移動車輪を昇降させることにより、スクリューロッドとナット、ウォームホイールとウォーム、及び連結ロッドを増やすことなく、移動車輪の数量を増やして家具を支持することができ、より多くの移動車輪で家具を支持することにより、大型で重量のある家具を低廉なコストで、より安定して昇降し移動させることができる。
【０００９】
この場合において、前記連結ロッドを傘歯車を介して連動させることができる。
【００１０】
これにより、簡単な構造で連結ロッドを連動して回動させることができる。
【００１１】
また、少なくとも１つのウォームを、外部から操作できるように構成することができる。
【００１２】
これにより、家具外部からの操作にて簡単に家具を昇降させることができる。
【００１３】
【発明の実施の形態】
以下、本発明の家具移動装置の実施の形態を、図面に基づいて説明する。
【００１４】
図１〜図８に、本発明の家具移動装置の第１実施例を示す。
この家具移動装置は、家具を支持する複数の移動車輪４を、スクリューロッド７及びナット１により昇降可能に設けている。
そして、この家具移動装置は、スクリューロッド７にウォームホイール６を固定し、このウォームホイール６と歯合するウォーム５を配設するとともに、連動して回動する３本の連結ロッドＬを隣接するウォーム５間に架設して、この連結ロッドＬにより各ウォーム５を等量ずつ回動させるように構成している。
なお、スクリューロッド７とナット１の位置を逆転して、スクリューロッド７を移動車輪４側に固定した場合は、ナット１にウォームホイール６を固定することができる。
【００１５】
移動車輪４は、図３に示すように、通常、家具Ｆの下部に配設する台座Ｂの荷重支持部、例えば、台座Ｂの四隅にキャスターとして配設され、この左右及び前後方向に隣接するウォーム５間に、それぞれ連結ロッドＬを架設し、１つの移動車輪４のウォーム５を、台座Ｂの外部より操作することにより、連結ロッドＬを介して全ての移動車輪４が、同時に昇降動作をするように構成されている。
この場合、台座Ｂの四隅に配設される移動車輪４のウォーム５のねじの方向は、図６、図７に示すように、隣接するもの同士では異なるようにする。
【００１６】
なお、本実施例では、台座Ｂの四隅にユニット化した移動車輪４を配設するようにしているが、家具Ｆが長い場合やその重量が大きい場合等には、必要に応じて、例えば、台座Ｂの四隅と中央部２箇所の計６箇所又はそれ以上の箇所に移動車輪４を配設することができ、この移動車輪４の配設箇所は、本実施例のものに限定されるものではない。
【００１７】
移動車輪４は、図１及び図４〜図７に示すように、ナット１を一体に備えた昇降台３に固定されており、この昇降台３は、家具Ｆの台座Ｂに固定される基台２に対し、ガイドロッド８に沿って離間方向に移動可能に設けられている。
ナット１には、スクリューロッド７が螺合するとともに、このスクリューロッド７の上部には、ウォームホイール６が一体に回動するように固定されており、また、ウォームホイールは、上部の軸６１が、基台２の軸孔２１に回動可能に嵌合されている。
これにより、ウォーム５を介して、ウォームホイール６が回動することにより、スクリューロッド７とナット１の作用によって、昇降台３と移動車輪４とがガイドロッド８に導かれて正確に定められた位置で昇降することになる。
なお、スクリューロッド７は、ウォームホイール６のボス部６２に形成したねじ部にスクリューロッド７の基端部を嵌合し、固定ねじ６３にて固定して、ウォームホイール６と一体としている。
【００１８】
また、ウォーム５は、図６、図７に示すように、両端に突設する軸５１、５２を、基台２の対向する側壁２２に同一軸心となるように形成した軸孔２３、２４に挿入して回動可能に支持されている。
なお、台座Ｂの隅部に配設し、かつ動力伝達経路の最初と最終位置に相当するウォーム５においては、図７に示すように、連結ロッドＬは１本のみが配設されるが、動力伝達経路の途中に配設する移動車輪４においては、図６に示すように、２本の連結ロッドＬが略直交するように配設されている。
【００１９】
略直交する２本の連結ロッドＬの先端部には、傘歯車９１、９２が設けられており、この傘歯車９１、９２を歯合させることにより、２本の連結ロッドＬが連動して回転することができる。
なお、連結ロッドＬは、一端に傘歯車９１、９２を固定した軸５２、９３と、この軸５２、９３の他端に、連結具Ｊを介して連結された六角ロッド等の多角形状のロッドとにより構成されている。
また、図示の実施例では、２つの傘歯車９１、９２の歯数を同数としたが、この歯数は限定されるものではなく、連結ロッドＬを介して動力が伝達されるように連結される全移動車輪４が、全て等量だけ昇降するようにすれば、この歯数比は限定されるものではない。
【００２０】
移動車輪４は、特に限定されるものではないが、図８に示すように、家具移動装置の用途に応じて、走行方向を自由に変更できるようにしたものを用いることが望ましい。
この移動車輪４は、昇降台３にビス止めにて固定できるように、昇降台３の下面に穿設した移動車輪取付用ビス孔（図示省略）に対応する位置に複数のビス孔４１Ｈを穿設した取付板４１に、ベアリング（図示省略）を介して旋回可能とした軸（図示省略）に、移動車輪フレーム４２を取り付け、この移動車輪フレーム４２に軸４４を介して車輪４３を取り付けて構成するようにしている。
【００２１】
また、移動車輪４のウォーム５の１つには、台座Ｂの外部より回動操作を行えるように、回動操作ハンドル等の操作具（図示省略）を挿入できる操作孔（図示省略）が形成されている。
この操作孔は、ウォームの軸２３に形成されており、また、この操作孔と対向する台座の側板にも操作具差込孔Ｈが穿設されている。
【００２２】
一方、ガイドロッド８は円柱状のものからなり、このガイドロッド８を複数本を用い、基台２の四隅に穿設したガイドロッド嵌挿孔２６内に固定することにより、ガイドロッド８が下向きに突設するようにし、ガイドロッド８の先端側の部分を、昇降台３の四隅に穿設したガイド孔３２内に、摺動可能に挿通することにより、昇降台３をガイドロッド８の長手方向に沿って正確に移動できるようにしている。
この許容される移動距離は、図１（Ａ）に示すように、家具Ｆの台座Ｂが床面に設置された状態から、図１（Ｂ）に示すように、浮上、例えば、数ｍｍ〜１０ｍｍ程度浮上させて移動車輪４にて走行可能となるようにして定める。
なお、この浮上距離は、限定されるものではない。
【００２３】
次に、この家具移動装置の動作について説明する。
先ず、台座Ｂに形成した操作具差込孔Ｈより、任意の操作具（図示省略）を差し込み、ウォームの軸２３に形成した操作孔（図示省略）に挿入し、外部からウォーム５の回動操作をする。
【００２４】
このように、操作具にて１つの移動車輪４のウォーム５を正方向に回転すると、先ず、このウォーム５に噛合するウォームホイール６が回転し、このウォームホイール６が固定されたスクリューロッド７がナット１に対し回転して、昇降台３が下降方向に移動する。
同時に、操作具にて操作されたウォーム５の回転は、連結ロッドＬを介して全移動車輪４に伝達され、全昇降台３が等量分だけ下降方向に移動する。
これにより、全ての移動車輪４が床面と接地し、さらに移動車輪４が下降することにより、台座Ｂが床面より持ち上げられるようになり、家具の移動が可能となる。
【００２５】
また、所定位置に移動した後、家具を固定設置する場合は、移動車輪４のウォーム５を反対方向に回転することにより、同様に全ての昇降台３が等量だけ上昇し、移動車輪４が浮上することにより、台座Ｂが直接床面に支持され家具は安定した状態に設置される。
このように、本実施例の家具移動装置では、連結ロッドＬを介して、全ての移動車輪４のウォーム、ウォームホイールを連動して等量回転させることにより、全ての移動車輪４を同時に上昇あるいは下降させることができ、これにより、家具Ｆを水平状態を保持しながら安全に昇降させることができる。
【００２６】
図９〜図１０に、本発明の家具移動装置の第２実施例を示す。
この家具移動装置は、家具Ｆを支持する複数の移動車輪４、４’を、家具Ｆとの間に配設した取付台１０に設置して、この取付台１０を複数のスクリューロッド７及びナット１により昇降可能に設けている。
そして、この家具移動装置は、ナット１にウォームホイール６を配設し、このウォームホイール６と歯合するウォーム５を配設するとともに、連動して回動する複数の連結ロッドＬを隣接するウォーム５間に架設して、この連結ロッドＬによりウォーム５を回動させるように構成している。
なお、スクリューロッド７とナット１の位置を逆転して、スクリューロッド７を取付台１０側に固定した場合は、ナット１にウォームホイール６を固定することができる。
また、本実施例において、基台２は、家具Ｆを安定的に支持できるものであれば、必ずしも基台２を家具Ｆに固定する必要はなく、基台２上に家具Ｆを載せるようにして家具Ｆを設置することができる。
【００２７】
取付台１０は、家具の底面よりやや小さく形成された剛性板からなり、移動車輪４、４’は、この取付台１０の四隅と、幅方向の２辺の中間部の２箇所とに、合計８個設置されている。
また、図１０に示すように、スクリューロッド７及びナット１、ウォームホイール６及びウォーム５、並びに連結ロッドＬの構成は、第１実施例と同様であるため詳しい説明は省略するが、本実施例では、かかる構成に加えて、四隅の移動車輪４において、昇降台３と移動車輪４の間に取付台１０を挟むように固定している。
この場合、取付台１０の幅方向中間部に設置した４つの移動車輪４’は、単にキャスターの機能を備えるだけで十分であり、上記スクリューロッドやナット等からなる昇降機構は省略することができる。
【００２８】
かくして、本実施例の家具移動装置は、移動車輪４、４’が設けられた取付台１０を昇降させるナット１にウォームホイール６を固定し、このウォームホイール６と歯合するウォーム５を配設するとともに、連動して回動する複数の連結ロッドＬを隣接するウォーム５間に架設して、この連結ロッドＬによりウォーム５を回動させることから、全ての移動車輪４、４’を取付台１０を介して同時に昇降させることができ、これにより、重い家具でも常に水平状態を保ちながら昇降させることができ、また、移動車輪４、４’を昇降させる動力の伝達をウォーム５及びウォームホイール６を用いて行うことから、力の弱い婦女子によっても円滑かつ軽快に家具を昇降させることができる。
そして、取付台１０を介して移動車輪４、４’を昇降させることにより、スクリューロッド７及びナット１、ウォームホイール６及びウォーム５、並びに連結ロッドＬを増やすことなく、移動車輪４、４’の数量を増やして家具Ｆを支持することができる。
これにより、より多くの移動車輪４、４’で家具Ｆを支持することにより、大型で重量のある家具Ｆを低廉なコストで、より安定して昇降し移動させることができる。
【００２９】
以上、本発明の家具移動装置の実施例を説明したが、本発明の家具移動装置は、この実施例の記載に限定されるものではなく、その趣旨を逸脱しない範囲において適宜に変更することが可能である。
【００３０】
【発明の効果】
本第１発明の家具移動装置によれば、移動車輪を昇降させるスクリューロッド及びナットの一方にウォームホイールを付設して、このウォームホイールと歯合するウォームを配設するとともに、連動して回動する複数の連結ロッドを隣接するウォーム間に架設して、この連結ロッドによりウォームを回動させることから、家具を支持する全ての移動車輪を同時に昇降させることが可能となり、これにより、重い家具でも常に水平状態を保ちながら昇降させることができ、また、移動車輪を昇降させる動力の伝達をウォームとウォームホイールとを用いて行うことから、力の弱い婦女子によっても円滑かつ軽快に家具を昇降させることができる。
さらに、この家具移動装置は、複数の移動車輪を個別の昇降台に各々固定し、該昇降台を家具に固定される基台に対し、四隅に配設したガイドロッドに沿ってスクリューロッド及びナットにより昇降可能に設けるようにし、かつ、前記移動車輪、昇降台、基台、ガイドロッド、スクリューロッド及びナットをユニットとし、該ユニットを家具に４個以上配設するようにしたことから、家具が長い場合やその重量が大きい場合等には、必要に応じて、例えば、台座の四隅と中央部２箇所の計６箇所又はそれ以上の箇所に移動車輪を配設することができる。
【００３１】
また、本第２発明の家具移動装置によれば、移動車輪が設置された取付台を昇降させるスクリューロッド及びナットの一方にウォームホイールを付設して、このウォームホイールと歯合するウォームを配設するとともに、連動して回動する複数の連結ロッドを隣接するウォーム間に架設して、この連結ロッドによりウォームを回動させることから、全ての移動車輪を取付台を介して同時に昇降させることが可能となり、これにより、重い家具でも常に水平状態を保ちながら昇降させることができ、また、移動車輪を昇降させる動力の伝達をウォームとウォームホイールとを用いて行うことから、力の弱い婦女子によっても円滑かつ軽快に家具を昇降させることができる。
そして、取付台を介して移動車輪を昇降させることにより、スクリューロッドとナット、ウォームホイールとウォーム、及び連結ロッドを増やすことなく、移動車輪の数量を増やして家具を支持することができ、より多くの移動車輪で家具を支持することにより、大型で重量のある家具を低廉なコストで、より安定して昇降し移動させることができる。
【００３２】
また、連結ロッドを傘歯車を介して連動させることにより、簡単な構造で連結ロッドを連動して回動させることができる。
【００３３】
さらに、少なくとも１つのウォームを、外部から操作できるように構成することにより、家具外部からの操作にて簡単に家具を昇降させることができる。
【図面の簡単な説明】
【図１】  本発明の家具移動装置の一実施例を示し、（Ａ）は家具設置時の状態を示す断面図、（Ｂ）は家具を移動のため上昇させた状態を示す断面図である。
【図２】  移動車輪の外観を示し、（Ａ）は正面図、（Ｂ）は底面図、（Ｃ）は側面図、（Ｄ）は動作時の側面図である。
【図３】  本発明の家具移動装置を家具に取り付けた状態を示し、（Ａ）は正面図、（Ｂ）は底面図、（Ｃ）は動作時の正面図である。
【図４】  基台を示し、（Ａ）は底面図、（Ｂ）は正面図、（Ｃ）は左側面図、（Ｄ）は右側面図である。
【図５】  昇降台を示し、（Ａ）は平面図、（Ｂ）は正面図、（Ｃ）は側面図である。
【図６】  基台を示し、（Ａ）は家具の右後の基台を示す平面図、（Ｂ）は家具の右前の基台を示す平面図である。
【図７】  基台を示し、（Ａ）は家具の左後の基台を示す平面図、（Ｂ）は家具の左前の基台を示す平面図である。
【図８】  移動車輪を示し、（Ａ）は正面図、（Ｂ）は側面図、（Ｃ）は底面図、（Ｄ）は平面図である。
【図９】  本発明の家具移動装置の第２実施例を示す正面図である。
【図１０】  同実施例の家具移動装置を示し、（Ａ）は家具設置時の状態を示す断面図、（Ｂ）は家具を移動のため上昇させた状態を示す断面図である。
【符号の説明】
Ｂ    台座
Ｆ    家具
Ｌ    連結ロッド
１    ナット
２    基台
３    昇降台
４    移動車輪
４’  移動車輪
５    ウォーム
６    ウォームホイール
７    スクリューロッド
８    ガイドロッド
９１、９２  傘歯車
１０  取付台
【図１】
0003679754.tif 000002
【図２】
0003679754.tif 000003
【図３】
0003679754.tif 000004
【図４】
0003679754.tif 000005
【図５】
0003679754.tif 000006
【図６】
0003679754.tif 000007
【図７】
0003679754.tif 000008
【図８】
0003679754.tif 000009
【図９】
0003679754.tif 000010
【図１０】
0003679754.tif 000011